(57)【要約】【課題】再生ＲＦ信号からレーザノイズを効果的にキャンセルすることのできる光ピックアップ装置を提供する。【解決手段】メイン受光部１７Ａおよびフロント受光部１７Ｂと、これら受光部１７Ａ，１７Ｂの出力信号からレーザノイズ成分をキャンセルさせた再生ＲＦ信号を生成する第１の差動増幅器２１Ａ、第１の帰還抵抗２２Ａ、第２の差動増幅器２１Ｂ、第２の帰還抵抗２２Ｂおよび演算回路２３を、１つの集積回路素子上に構成したことで、再生ＲＦ信号用の受光部とレーザノイズキャンセル信号用の受光部の特性、および上記各受光部の出力信号を増幅する増幅回路同士の特性を各々近似させることができ、演算回路に入力されるレーザノイズ成分を含んだ再生ＲＦ信号とレーザノイズキャンセル信号の間に生じる伝播遅延差を極力小さくすることができ、両信号のレーザノイズの位相が揃い、大きなノイズ相殺効果を得ることが可能になる。【選択図】      図２
2005004848.tif 000002
【特許請求の範囲】
【請求項１】
光ディスクに照射するレーザ光の発生部と、
前記発生部から前記光ディスクに照射された前記レーザ光の前記光ディスクからの反射光を受光して電気信号に変換する第１の受光部と、
前記発生部から前記光ディスクに照射される前記レーザ光の少なくとも一部を受光して電気信号に変換する第２の受光部と、
第１の受光部の出力信号を増幅して再生ＲＦ信号を形成する第１の増幅回路と、
前記第２の受光部の出力信号を増幅してレーザノイズキャンセル信号を形成する第２の増幅回路と、
前記第１の増幅回路および前記第２の増幅回路の各出力信号に基づいてレーザノイズ成分の除去された再生ＲＦ信号を生成する演算回路とを具備し、
前記第１の受光部、前記第２の受光部、前記第１の増幅回路、前記第２の増幅回路および前記演算回路が一つの集積回路素子上に構成されていることを特徴とする光ピックアップ装置。
【請求項２】
前記演算回路は、
前記第１の増幅回路および前記第２の増幅回路の各出力信号に含まれるレーザノイズ成分のレベルを一致させるために、第１の増幅回路および前記第２の増幅回路の両方もしくは一方の出力信号を増幅もしくは減衰する、外部からの制御信号により利得調整が可変な利得可変増幅回路を具備することを特徴とする請求項１に記載の光ピックアップ装置。
【請求項３】
前記演算回路は、
前記第１の増幅回路および前記第２の増幅回路の各出力信号に含まれるレーザノイズ成分のレベルを一致させるために、第１の増幅回路および前記第２の増幅回路の両方もしくは一方の出力信号を増幅する利得調整が可変な利得可変増幅回路と、
前記利得可変増幅回路に入力される信号に含まれるレーザノイズ成分のレベルを検出し、この検出結果に基づき当該利得可変増幅回路に利得制御信号を出力する制御信号発生回路とを具備することを特徴とする請求項１に記載の光ピックアップ装置。
【請求項４】
前記演算回路は、
前記第１の増幅回路の出力信号と前記第２の増幅回路の出力信号の直流成分との乗算を行う第１の乗算回路と、
前記第１の増幅回路の出力信号とレーザノイズ成分との乗算を行う第２の乗算回路と、
前記第１の乗算回路の出力信号から前記第２の乗算回路の出力信号を逆相加算する減算回路とを具備することを特徴とする請求項１に記載の光ピックアップ装置。
【請求項５】
光ディスクに照射するレーザ光の発生部から前記光ディスクに照射された前記レーザ光の前記光ディスクからの反射光を受光して電気信号に変換する第１の受光部と、
前記発生部から前記光ディスクに照射される前記レーザ光の少なくとも一部を受光して電気信号に変換する第２の受光部と、
第１の受光部の出力信号を増幅して再生ＲＦ信号を形成する第１の増幅回路と、
前記第２の受光部の出力信号を増幅してレーザノイズキャンセル信号を形成する第２の増幅回路と、
前記第１の増幅回路の出力信号および前記第２の増幅回路の出力信号に基づいてレーザノイズ成分の除去された再生ＲＦ信号を生成する演算回路とが、
一つの集積回路素子上に構成された光ピックアップ装置を具備することを特徴とする光ディスク装置。
【発明の詳細な説明】
【０００１】
【発明の属する技術分野】
本発明は、本発明は光ディスクにレーザ光を照射して情報を再生するための光ディスク装置とこれに用いられる光ピックアップ装置に関し、より詳細には、再生ＲＦ信号よりレーザ光の変動に起因したノイズ成分を除去する技術に関する。
【０００２】
【従来の技術】
光ディスク装置において、再生信号におけるレーザノイズをキャンセル（除去）する手法として、高調波重畳法や多モードレーザなどがある。しかし、これらの手法はシールドなどの輻射対策が必要なことから光ピックアップの小型化・低コスト化に不利であった。
【０００３】
また、レーザ光を監視してオートマチック・パワー・コントロール（ＡＰＣ）信号を生成する光源モニタ用受光部（以下「フロント受光部」と呼ぶ。）の出力信号からレーザノイズキャンセル（ＬＮＣ）信号を取り出し、再生信号用受光部（以下「メイン受光部」と呼ぶ。）の出力信号から得られた再生ＲＦ信号から当該ＬＮＣ信号をキャンセル演算する方法がある（たとえば、特許文献１、特許文献２および特許文献３を参照。）。
【０００４】
【特許文献１】
特開平１０−１２４９１９号公報
【０００５】
【特許文献２】
特開２００２−３５２４５９号公報
【０００６】
【特許文献３】
特開２００３−６９１５号公報
【０００７】
【発明が解決しようとする課題】
しかしながら、再生ＲＦ信号からＬＮＣ信号をキャンセル演算する手法において、フロント受光部およびその出力信号からＬＮＣ信号を形成する増幅回路と、メイン受光部およびその出力信号から再生ＲＦ信号を形成する増幅回路は、別々の集積回路素子として構成されている。このため、これらの集積回路素子から、ノイズキャンセルのための演算を行う演算回路までの信号伝達の際に、外来ノイズや、再生ＲＦ信号とＬＮＣ信号との遅延差、さらには受光部とこれに接続されている回路の周波数特性や郡遅延特性のばらつきなどにより、ノイズ低減効果が低下するという問題があった。
【０００８】
そこで本発明は、再生ＲＦ信号からレーザノイズをより効果的にキャンセルすることのできる光ピックアップ装置と光ディスク装置を提供することを目的としている。
【０００９】
【課題を解決するための手段】
本発明の主たる観点に係る光ピックアップ装置は、上記課題を解決するための手段として、光ディスクに照射するレーザ光の発生部と、前記発生部から前記光ディスクに照射された前記レーザ光の前記光ディスクからの反射光を受光して電気信号に変換する第１の受光部と、前記発生部から前記光ディスクに照射される前記レーザ光の少なくとも一部を受光して電気信号に変換する第２の受光部と、第１の受光部の出力信号を増幅して再生ＲＦ信号を形成する第１の増幅回路と、前記第２の受光部の出力信号を増幅してレーザノイズキャンセル信号を形成する第２の増幅回路と、前記第１の増幅回路の出力信号および前記第２の増幅回路の出力信号に基づいてレーザノイズ成分の除去された再生ＲＦ信号を生成する演算回路とを具備し、前記第１の受光部、前記第２の受光部、前記第１の増幅回路、前記第２の増幅回路および前記演算回路が一つの集積回路素子上に構成されていることを特徴とする。
【００１０】
この発明によれば、再生ＲＦ信号用の受光部とレーザノイズキャンセル信号用の受光部の特性、および上記各受光部の出力信号を増幅する増幅回路同士の特性を各々近似させることができ、演算回路に入力されるレーザノイズ成分を含んだ再生ＲＦ信号とレーザノイズキャンセル信号の間に生じる伝播遅延差を極力小さくすることができ、両信号のレーザノイズの位相が揃い、大きなノイズ相殺効果を得ることが可能になる。さらに、一つのＩＣ内でノイズキャンセルの演算を行うため、信号が演算回路までの伝送距離が短くなり伝送路を伝播する際の外来ノイズの影響を低減できる。また、光ピックアップにおける部品点数を削減でき、小型化、低コスト化を図ることができる上、ノイズキャンセル動作がＯＰ上の回路で完結するため、後段のＩＣは修正の必要が全く無く既存の安価なＩＣを使用できるという利点もある。
【００１１】
また、この発明の光ピックアップ装置において、前記演算回路は、前記第１の増幅回路および前記第２の増幅回路の各出力信号に含まれるレーザノイズ成分のレベルを一致させるために、第１の増幅回路および前記第２の増幅回路の両方もしくは一方の出力信号を増幅する、外部からの制御信号により利得調整が可変な利得可変増幅回路を具備するものとしてもよい。
【００１２】
これにより、レーザノイズ成分の位相ならびにレベルが揃った再生ＲＦ信号およびレーザノイズキャンセル信号が得られ、レーザノイズ成分をより確実に相殺させることが可能となる。
【００１３】
さらに、この発明の光ピックアップ装置において、前記演算回路は、前記第１の増幅回路および前記第２の増幅回路の各出力信号に含まれるレーザノイズ成分のレベルを一致させるために、第１の増幅回路および前記第２の増幅回路の両方もしくは一方の出力信号を増幅する利得調整が可変な利得可変増幅回路と、前記利得可変増幅回路に入力される信号に含まれるレーザノイズ成分のレベルを検出し、この検出結果に基づき当該利得可変増幅回路に利得制御信号を出力する制御信号発生回路と具備するものであってもよい。
【００１４】
これにより、レーザノイズ成分の位相ならびにレベルが揃った再生ＲＦ信号およびレーザノイズキャンセル信号が得られ、レーザノイズ成分をより確実に相殺させることが可能となる。
【００１５】
また、この発明の光ピックアップ装置において、前記演算回路は、前記第１の増幅回路の出力信号と前記第２の増幅回路の出力信号の直流成分との乗算を行う第１の乗算回路と、前記第１の増幅回路の出力信号とレーザノイズ成分との乗算を行う第２の乗算回路と、前記第１の乗算回路の出力信号から前記第２の乗算回路の出力信号を逆相加算する減算回路とを具備するものであってもよい。
【００１６】
この演算回路によれば、レーザノイズの加法的ノイズ成分と、変調ノイズ成分との両方をキャンセルすることができる。
【００１７】
本発明の別の観点に係る光ディスク装置は、光ディスクに照射するレーザ光の発生部から前記光ディスクに照射された前記レーザ光の前記光ディスクからの反射光を受光して電気信号に変換する第１の受光部と、前記発生部から前記光ディスクに照射される前記レーザ光の少なくとも一部を受光して電気信号に変換する第２の受光部と、第１の受光部の出力信号を増幅して再生ＦＲ信号を形成する第１の増幅回路と、前記第２の受光部の出力信号を増幅してレーザノイズキャンセル信号を形成する第２の増幅回路と、前記第１の増幅回路の出力信号および前記第２の増幅回路の出力信号に基づいてレーザノイズ成分の除去された再生ＦＲ信号を生成する演算回路とが、一つの集積回路素子上に構成された光ピックアップ装置を具備するものである。
【００１８】
この発明によれば、再生ＲＦ信号用の受光部とレーザノイズキャンセル信号用の受光部の特性、および上記各受光部の出力信号を増幅する増幅回路どうしの特性を各々近似させることができ、演算回路に入力されるレーザノイズ成分を含んだ再生ＲＦ信号とレーザノイズキャンセル信号の間に生じる伝播遅延差を極力小さくすることができ、両信号のレーザノイズの位相が揃い、大きなノイズ相殺効果を得ることが可能になる。また、光ピックアップにおける部品点数を削減でき、小型化、低コスト化を図ることができる。
【００１９】
【発明の実施の形態】
以下、本発明の実施の形態を図面に基づいて説明する。
【００２０】
図１は、本発明の光ディスク装置の主要部である光ピックアップ装置の構成を示す図である。同図に示すように、この光ピックアップ装置は、光源であるレーザダイオード１１とコリメータレンズ１２と偏光ビームスプリッタ１３と四分の一波長板１４と対物レンズ１５と集光レンズ１６と受光部１７と有する。受光部１７は再生ＲＦ信号用とＬＮＣ信号用の独立した受光部１７Ａ，１７Ｂを備えた受光部である。以下、再生ＲＦ信号用の受光部を「メイン受光部１７Ａ」、ＬＮＣ信号用の受光部を「フロント受光部１７Ｂ」と呼ぶ。
【００２１】
偏光ビームスプリッタ１３は偏光ビームスプリッタ面１３Ａと全反射面１８を有する。偏光ビームスプリッタ１３の全反射面１８は光路に対して垂直な面に対して僅かに傾斜している。偏光ビームスプリッタ１３の偏光ビームスプリッタ面１３Ａは、たとえば、Ｓ偏光を全反射させ、Ｐ偏光の９０％を透過させＰ偏光の１０％を反射するように設定されたものでよい。
【００２２】
レーザダイオード１１からのレーザ光はコリメータレンズ１２によって平行光線化される。レーザダイオード１１は、この例では、主にＰ偏光を発生する。このＰ偏光は偏光ビームスプリッタ面１３Ａによって２つに分岐される。Ｐ偏光の１０％は偏光ビームスプリッタ面１３Ａによって偏向され、全反射面１８を反射し、反射光の９０％は偏光ビームスプリッタ面１３Ａを通過し、集光レンズ１６を経由して、受光部１７のフロント受光部１７Ｂに受光される。
【００２３】
一方、Ｐ偏光の９０％は偏光ビームスプリッタ面１３Ａを通過し、四分の一波長板１４および対物レンズ１５を経由して光ディスク１９の情報記録面に到達する。光ディスク１９の情報記録面からの戻り光は四分の一波長板１４を通過することによってＳ偏光に変わる。このＳ偏光の１００％は、偏光ビームスプリッタ１３の偏光ビームスプリッタ面１３Ａによって偏向され、集光レンズ１６を経由して受光部１７のメイン受光部１７Ａに受光される。
【００２４】
このようにして、光ディスク１９の情報記録面からの戻り光による再生信号と、偏光ビームスプリッタ１３の全反射面１８を反射した光によるＬＮＣ信号を同時に且つ別個に得ることができる。
【００２５】
全反射面１８の傾斜角を変化させることによって、受光部１７の受光面上における再生ＲＦ信号用の光スポットとＬＮＣ信号用の光スポットとの間の距離が変化するので、全反射面１８の傾斜角の選定により、２つの光スポット間の距離を受光部１７のメイン受光部１７Ａとフロント受光部１７Ｂの各位置に合せて最適な値に設定することができる。
【００２６】
なお、偏光ビームスプリッタ１３の全反射面１８を反射し偏光ビームスプリッタ面１３Ａに到達した光の１０％は、偏光ビームスプリッタ面１３Ａを透過しないでレーザダイオード１１の方向に偏向され、所謂、迷光となる。しかしながら、全反射面１８が光軸の垂直面に対して傾斜しているため、迷光はレーザダイオード１１に到達することはない。
【００２７】
図２は、図１の光ピックアップの構成において、メイン受光部１７Ａおよびフロント受光部１７Ｂの各出力信号からレーザノイズ成分がキャンセルされた再生ＲＦ信号を得る回路の構成を示す図である。
【００２８】
同図に示すように、この回路は、メイン受光部１７Ａの出力を増幅する第１の前置増幅器を構成する第１の差動増幅器２１Ａおよび第１の帰還抵抗２２Ａと、フロント受光部１７Ｂの出力を増幅する第２の前置増幅器を構成する第２の差動増幅器２１Ｂおよび第２の帰還抵抗２２Ｂと、第１の差動増幅器２１Ａおよび第２の差動増幅器２１Ｂの各出力信号からレーザノイズ成分がキャンセルされた再生ＲＦ信号を生成する演算回路２３とを有している。
【００２９】
第１の差動増幅器２１Ａの正相入力には一定のバイアス電圧ＶＲＥＦが加えられており、逆相入力にはアノードがＧＮＤに接続されたメイン受光部１７Ａのカソードと、一端が第１の差動増幅器２１Ａの出力に接続された第１の帰還抵抗２２Ａの他端が接続されている。
【００３０】
第２の差動増幅器２１Ｂの正相入力には一定のバイアス電圧ＶＲＥＦが加えられており、逆相入力にはアノードがＧＮＤに接続されたフロント受光部１７Ｂのカソードと、一端が第２の差動増幅器２１Ｂの出力に接続された第２の帰還抵抗２２Ｂの他端が接続されている。第１の差動増幅器２１Ａおよび第２の差動増幅器２１Ｂの出力は演算回路２３の入力に接続されている。
【００３１】
そして、上記の構成、すなわちメイン受光部１７Ａ、第１の差動増幅器２１Ａ、第１の帰還抵抗２２Ａ、フロント受光部１７Ｂ、第２の差動増幅器２１Ｂ、第２の帰還抵抗２２Ｂおよび演算回路２３は一つの集積回路素子上に構成されている。
【００３２】
次に、図２の光ピックアップ装置の動作を説明する。
【００３３】
光ディスク１９の情報記録面で反射したＲＦ信号光がメイン受光部１７Ａに入射されると、その反射レーザ光はメイン受光部１７Ａにて光―電気変換される。メイン受光部１７Ａから出力された電流信号は第１の差動増幅器２１Ａと第１の帰還抵抗２２Ａにより増幅され、第１の差動増幅器２１Ａの出力端に電圧信号（再生ＲＦ信号）となって現れる。
【００３４】
一方、フロント受光部１７ＢにＬＮＣ信号光が入射すると、そのＬＮＣ信号光はフロント受光部１７Ｂによって光―電気変換される。フロント受光部１７Ｂより出力された電流信号は第２の差動増幅器２１Ｂと第２の帰還抵抗２２Ｂにより増幅され、第２の差動増幅器２１Ｂの出力端に電圧信号（ＬＮＣ信号）となって現れる。
【００３５】
ここで、メイン受光部１７Ａに入射されるＲＦ信号光は光ディスク１９の情報記録面に記録された信号のみならず、レーザダイオード１１から出射されるレーザ光のノイズ成分を含んでおり、同様に、フロント受光部１７Ｂに入射されるＬＮＣ信号光も同レーザ光のノイズ成分を含んでいる。したがって、これらのレーザノイズ成分を共に含んだ再生ＲＦ信号およびＬＮＣ信号を前置増幅回路を介して演算回路２３に入力し、両信号に含まれているレーザノイズ成分を相殺させることによって、レーザノイズ成分の除去された再生ＲＦ信号を取り出すことができる。
【００３６】
通常、フロント受光部が接続されている差動増幅器と帰還抵抗とで構成される前置増幅回路には高い動作帯域を要求されないため、その周波数特性はメイン受光部が接続されている差動増幅器と帰還抵抗とで構成される前置増幅回路の周波数特性よりも低く設定されている。これに対し、本実施形態では、メイン受光部１７Ａから第１の差動増幅器２１Ａと帰還抵抗２２Ａとで構成される第１の前置増幅回路の出力までの周波数特性が、フロント受光部１７Ｂから第２の差動増幅器２１Ｂと帰還抵抗２２Ｂとで構成される第２の前置増幅回路の出力までの周波数特性に近ければ近いほど、演算回路２３に入力される再生ＲＦ信号とＬＮＣ信号に含まれるレーザノイズ成分が近似するようになり、レーザノイズ相殺効果が高くなるので、メイン受光部１７Ａとフロント受光部１７Ｂとの特性、および各受光部１７Ａ，１７Ｂの出力信号を増幅する回路同士の特性をできる限り近づけることが重要となる。
【００３７】
この点に関して、本実施形態では、メイン受光部１７Ａおよびフロント受光部１７Ｂと、これら受光部１７Ａ，１７Ｂの出力信号からレーザノイズ成分をキャンセルさせた再生ＲＦ信号を生成する第１の差動増幅器２１Ａ、第１の帰還抵抗２２Ａ、第２の差動増幅器２１Ｂ、第２の帰還抵抗２２Ｂおよび演算回路２３が、１つの集積回路素子上に構成されていることから、メイン受光部１７Ａとフロント受光部１７Ｂの特性、および各前置増幅回路同士の特性が各々近似したものとなる。したがって、メイン受光部１７Ａが接続されている第１の前置増幅回路とフロント受光部１７Ｂが接続されている第２の前置増幅回路の応答速度を同等に設定しておくことで、メイン受光部１７Ａに入射されるＲＦ信号光とフロント受光部１７Ｂに入射されるＬＮＣ信号光に遅延差がなければ、演算回路２３に入力されるレーザノイズ成分を含んだＲＦ信号とＬＮＣ信号の間に生じる伝播遅延差を極力小さくすることができ、両信号のレーザノイズの位相が揃うため、演算回路２３で大きなノイズ相殺効果を奏することが可能になる。
【００３８】
また、図２に示した受光部を含む回路全体を一つの１つの集積回路素子として構成したことで、光ディスク装置の光ピックアップにおける部品点数を削減でき、小型化、低コスト化を図ることができる。
【００３９】
次に、図３および図４を参照して演算回路２３の構成の例を説明する。
【００４０】
図３において、この演算回路２３は、再生ＲＦ信号を増幅する第１の利得可変増幅回路３１Ａと、ＬＮＣ信号を増幅する第２の利得可変増幅回路３１Ｂと、再生ＲＦ信号とＬＮＣ信号に含まれるレーザノイズを相殺する第３の差動増幅器３２とにより構成される。ここで、各利得可変増幅回路３１Ａ，３１Ｂの利得は、第３の差動増幅器３２より出力される再生ＲＦ信号に含まれるレーザノイズ成分のレベルと第２の差動増幅器２１Ｂより出力されるＬＮＣ信号のレーザノイズ成分のレベルとが一致するように、外部たとえば光ディスク装置内のコントローラからの利得制御信号により制御される。
【００４１】
この構成により、レーザノイズ成分の位相ならびにレベルが揃った再生ＲＦ信号およびＬＮＣ信号が第３の差動増幅器３２に同相信号として入力されることになり、レーザノイズ成分をより確実に相殺させることが可能となる。
【００４２】
なお、図３では利得可変増幅回路３１Ａ，３１ＢをＲＦ信号側とＬＮＣ信号側に共に接続しているが、レーザノイズ成分のレベルを合わすことができれば、利得可変増幅回路はＲＦ信号側かＬＮＣ信号側のいずれか一方に用意するだけでも構わない。
【００４３】
図４は、図３の利得可変増幅回路３１Ａ，３１Ｂの代わりに自動利得可変増幅回路４１Ａ，４１Ｂを用いてＲＦ信号とＬＮＣ信号のレーザノイズレベルを自動で一致させるように構成した例である。これらの自動利得可変増幅回路４１Ａ，４１Ｂは、外部信号により利得を変えることができる利得可変増幅回路４２Ａ，４２Ｂと、レーザノイズ成分のレベルに応じて信号を出力する自動利得制御信号発生回路４３Ａ，４３Ｂとにより実現できる。ここで、自動利得制御信号発生回路４３Ａ，４３Ｂは、レーザノイズが白色雑音であることを考慮して、ＬＰＦ（Ｌｏｗ−Ｐａｓｓ  Ｆｉｌｔｅｒ）やＢＰＦ（Ｂａｎｄ−Ｐａｓｓ  Ｆｉｌｔｅｒ）などを用いてＲＦ信号成分の帯域外の低域成分からレーザノイズレベルを検出し、利得可変増幅回路４２Ａ，４２Ｂから出力されるレーザノイズレベルが一定になるようそれぞれ利得制御信号を出力する。
【００４４】
なお、図４では、自動利得制御信号発生回路４３Ａ，４３Ｂは第１の差動増幅器２１Ａおよび第２の差動増幅器２１Ｂの出力を入力としているが、利得可変増幅回路４２Ａ，４２Ｂや第３の差動増幅器３２の出力を入力とすることも考えられる。
【００４５】
また、図４では、自動利得可変増幅回路４１Ａ，４１ＢをＲＦ信号側とＬＮＣ信号側に共に接続しているが、レーザノイズ成分のレベルを合わすことができれば、自動利得可変増幅回路はＲＦ信号側かＬＮＣ信号側のいずれか一方に用意するだけでも構わない。
【００４６】
図５は、乗算方式で、レーザノイズの加法的ノイズ成分と、変調ノイズ成分との両方をキャンセルすることができるようにした演算回路２３の例である。この演算回路２３は、第１の乗算器５１、低域通過フィルタ（ＬＰＦ）５２、高域通過フィルタ（ＨＰＦ）５３、第２の乗算器５４、演算器（逆相加算を行う加算器）５５とで構成されたものである。
【００４７】
すなわち、この演算回路２３において、第１の乗算器５１は、再生ＲＦ信号とＬＮＣ信号のＤＣ成分との乗算を行うことにより、加法的ノイズ成分と変調ノイズ成分とを含み、信号レベルが高くなるようにされた再生ＲＦ信号を生成する。第２の乗算器５４は、再生ＲＦ信号とレーザノイズとの乗算を行うことにより、再生ＲＦ信号に含まれる加法的ノイズ成分と変調ノイズ成分とを足し合わせた再生ＲＦ信号に含まれるすべてのレーザノイズ成分からなる信号を生成する。そして、第１の乗算器５１からの出力信号と、第２の乗算器５４からの出力信号とを演算器５５に供給し、ここで、第１の乗算器５１からの出力信号から第２の乗算器からの出力信号を減算（逆相加算）する。これにより加法的ノイズ成分と変調ノイズ成分とが除去された再生ＲＦ信号が演算器５５から出力される。なお、この乗算方式で、レーザノイズの加法的ノイズ成分と、変調ノイズ成分との両方をキャンセルする回路は、特開２００２−１８３９７０号公報にその詳細が開示されている。
【００４８】
以上本発明の実施形態を説明したが、本発明は、上述の実施形態にのみ限定されるものではなく、本発明の要旨を逸脱しない範囲内において種々変更を加え得ることは勿論である。
【００４９】
【発明の効果】
以上説明したように、本発明によれば、ＬＮＣ信号を用いて再生ＲＦ信号からレーザノイズをキャンセルする場合のレーザノイズ低減効果を向上させることができる。また、光ディスク装置の光ピックアップにおける部品点数を削減でき、小型化、低コスト化を図ることができる。
【図面の簡単な説明】
【図１】本発明の光ディスク装置の主要部である光ピックアップ装置の構成を示す図である。
【図２】図１の光ピックアップ装置において、メイン受光部およびフロント受光部の各出力信号からレーザノイズ成分がキャンセルされた再生ＲＦ信号を得る回路の構成を示す図である。
【図３】図１の光ピックアップ装置における演算回路の構成の例を示す図である。
【図４】図１の光ピックアップ装置における演算回路の別の構成の例を示す図である。
【図５】図１の光ピックアップ装置における演算回路のさらに別の構成の例を示す図である。
【符号の説明】
１１      レーザダイオード
１２      コリメータレンズ
１３      偏光ビームスプリッタ
１３Ａ    偏光ビームスプリッタ面
１４      四分の一波長板
１５      対物レンズ
１６      集光レンズ
１７      受光部
１７Ａ    メイン受光部
１７Ｂ    フロント受光部
１８      全反射面
１９      光ディスク
２１Ａ    第１の差動増幅器
２１Ｂ    第２の差動増幅器
２２Ａ    第１の帰還抵抗
２２Ｂ    第２の帰還抵抗
２３      演算回路
３１Ａ    第１の利得可変増幅回路
３１Ｂ    第２の利得可変増幅回路
３２      第３の差動増幅器
４１Ａ，４１Ｂ    自動利得可変増幅回路
４２Ａ，４２Ｂ    利得可変増幅回路
４３Ａ，４３Ｂ    自動利得制御信号発生回路
５１      第１の乗算器
５４      第２の乗算器
５５      演算器
【図１】
2005004848.tif 000003
【図２】
2005004848.tif 000004
【図３】
2005004848.tif 000005
【図４】
2005004848.tif 000006
【図５】
2005004848.tif 000007